【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
傾斜可能なアンビルアセンブリであって：
中央ロッド；
ハウジング、ポスト、ステープル変形ポケットを有するアンビルプレート、およびバックアップ部材を含むヘッドアセンブリであって、該ヘッドアセンブリが、回動軸の周りで該中央ロッドに回動可能に固定され、そして作動位置と傾斜位置との間で該中央ロッドに対して回動し、ここで、該バックアップ部材が、該ポストの周りを、該バックアップ部材の一部が、該ヘッドアセンブリの該作動位置から該傾斜位置までの移動を防ぐよう位置決めされる第１の位置から、該バックアップ部材が位置決めされる第２の位置まで移動可能であり、該ヘッドアセンブリの該中央ロッドに対する該作動位置から該傾斜位置までの移動を許容する、ヘッドアセンブリを備え、そしてさらに、該ヘッドアセンブリ中に位置決めされた保持具部材を含み、該バックアップ部材の該第１の位置から該第２の位置への移動を、該バックアップ部材に所定の力が付与されるまで防ぐ、傾斜可能なアンビルアセンブリ。
【請求項２】
前記保持具部材が、前記ハウジングと前記バックアップ部材との間の前記ヘッドアセンブリ中に位置決めされる変形可能な部材を含む、請求項１に記載の傾斜可能なアンビルアセンブリ。
【請求項３】
前記ハウジングおよび前記ポストが環状の凹部を規定し、前記保持具部材が、該環状の凹部中に位置決めされる、請求項１および２のいずれかに記載の傾斜可能なアンビルアセンブリ。
【請求項４】
前記中央ロッドが長軸方向軸を規定し、そして前記回動軸が該中央ロッドの長軸方向軸から斜めに置かれる、請求項１〜３のいずれかに記載の傾斜可能なアンビルアセンブリ。
【請求項５】
前記中央ロッドが長軸方向軸を規定し、そして前記回動軸が該中央ロッドの長軸方向軸と交差する、請求項１〜３のいずれかに記載の傾斜可能なアンビルアセンブリ。
【請求項６】
前記バックアップ部材が、切断リングおよびバックアッププレートを含み、該切断リングが、該バックアッププレートの近位方向面に固定される、請求項１〜５のいずれかに記載の傾斜可能なアンビルアセンブリ。
【請求項７】
前記バックアッププレートが、前記バックアップ部材がその第１の位置にあり前記ヘッドアセンブリの前記中央ロッドに対する回動移動を防ぐとき、該中央ロッドの遠位方向面を係合するよう位置決めされた少なくとも１つのフィンガーを含む、請求項１〜６のいずれかに記載の傾斜可能なアンビルアセンブリ。
【請求項８】
前記切断リングが、前記バックアッププレートより柔軟な材料から形成される、請求項６および７のいずれかに記載の傾斜可能なアンビルアセンブリ。
【請求項９】
前記切断リングがポリエチレンから形成され、そして前記バックアッププレートが金属から形成される、請求項８に記載の傾斜可能なアンビルアセンブリ。
【請求項１０】
中央ロッドを有する傾斜可能なアンビルアセンブリ、および該中央ヘッドに回動可能に固定され、そして作動位置から傾斜位置まで回動するヘッドアセンブリを有するアンビルアセンブリにおいて、該ヘッドアセンブリが、ハウジング、ポスト、アンビルプレートおよびバックアップ部材を含み、ここで、該バックアップ部材が該ポストの周りを、該ヘッドアセンブリの該作動位置から該傾斜位置までの回動移動を防ぐ第１の位置から、該ヘッドアセンブリの該作動位置から該傾斜位置までの移動を許容する第２の位置まで移動可能であり、改良が、該バックアップ部材のその第１の位置からその第２の位置までの移動を、所定の力が該バックアップ部材に付与されるまで防ぐ位置で該ヘッドアセンブリ上に支持された保持具部材を含む、傾斜可能なアンビルアセンブリ。
【請求項１１】
前記所定の力が、約１０ポンドと約９０ポンドとの間である、請求項１〜１０のいずれかに記載の傾斜可能なアンビルアセンブリ。
【請求項１２】
前記保持具部材が、前記ハウジングと前記バックアップ部材との間に位置決めされた変形可能な部材を含む、請求項１〜１１のいずれかに記載の傾斜可能なアンビルアセンブリ。
【請求項１３】
前記保持具部材が、前記ポストおよび複数の変形可能なタブの周りに位置決めされる環状本体を含む、請求項１〜１２のいずれかに記載の傾斜可能なアンビルアセンブリ。
【請求項１４】
前記バックアップ部材が、前記複数の変形可能なタブに、該バックアップ部材の前記第１の位置から前記第２の位置への移動が、該タブの変形を行うように接するよう位置決めされる、請求項１３に記載の傾斜可能なアンビルアセンブリ。
【請求項１５】
外科用ステープル留めデバイスであって：
接近ノブおよび発射トリガーを含むハンドルアセンブリ；
該ハンドルアセンブリから遠位方向に延びる細長い本体部分；
該細長い本体部分の遠位端上に支持されたヘッド部分であって、アンビルアセンブリおよびその中に支持された複数のステープルを有するシェルアセンブリを含み、該アンビルアセンブリが、該シェルアセンブリに対して、該接近ノブの作動に応答して間隔を置かれた位置と接近位置との間を移動可能であるヘッド部分；
該接近ノブを含む接近機構であって、該アンビルアセンブリに、該接近ノブの作動が該アンビルアセンブリの該シェルアセンブリに対する該間隔を置かれた位置と接近位置との間の移動を行うように作動可能に連結される接近機構；
該ハンドルアセンブリ上に位置決めされ、そしてロック位置から非ロック位置まで移動可能であるトリガーロックであって、ここで、そのロック位置において、該発射トリガーの作動を防ぐトリガーロック；および
該トリガーロック作動可能に連結され、そして該トリガーロックが第２の非ロック位置にあるとき、該アンビルアセンブリの該接近位置から該離れた位置への移動を防ぐよう位置決めされるロックアウト機構、を備える、外科用ステープル留めデバイス。
【請求項１６】
前記トリガーロックが、回動部材の周りで前記ハンドルアセンブリ上に回動可能に支持され、そして前記ロックアウト機構が、ボアを規定し、かつロッキングタブを有するロックアウトプレートを含み、該ボアが、該回動部材を、該ロックアウトプレートが、該回動部材の周りを、該ロックタブが該アンビルアセンブリの該シェルアセンブリに対する前記接近位置と非接近位置との間の移動を許容するよう位置決めされる第１の位置から、該アンビルアセンブリの該シェルアセンブリに対する該接近位置と該非接近位置との間の移動を防ぐ第２の位置まで回転可能であるように受容するような寸法である、請求項１５に記載の外科用ステープル留めデバイス。
【請求項１７】
前記接近機構が、前記接近ノブに作動可能に連結された近位端、および前記アンビルアセンブリに作動可能に連結された遠位端を有する直線的に進行可能な駆動ネジを含み、前記ロックアウトプレートのロックタブが、該ロックアウトプレートがその第２の位置にあるとき、該駆動ネジの直線的移動を妨害するように位置決めされる、請求項１６に記載の外科用ステープル留めデバイス。
【請求項１８】
前記駆動ネジ上に位置決めされたネジストップをさらに含み、該ネジストップが、前記ロックアウトプレートがその第２の位置にあるとき、該ロックアウトプレートのロックタブを係合するよう位置決めされる係合部材を含む、請求項１７に記載の外科用ステープル留めデバイス。
【請求項１９】
前記ロックアウトプレートが、前記トリガーロックに、該トリガーロックのそのロック位置からその非ロック位置までの移動が該ロックアウトプレートのその第１の位置からその第２の位置への移動を行うように離脱可能に接続される、請求項１５〜１８のいずれかに記載の外科用ステープル留めデバイス。
【請求項２０】
前記ロックアウト機構が、前記ロックアウトプレートを前記トリガーロックに向かって押すための付勢部材を含む、請求項１６〜１９のいずれかに記載の外科用ステープル留めデバイス。
【請求項２１】
前記ロックアウトプレートが凹面を含み、そして前記トリガーロックが一対の間隔を置いた突出部を含み、該突出部の各々が該凹面内に独立に受容可能であり、該ロックアウトプレートを該トリガーロックに対して２つの別個の位置の１つで離脱可能に接続する、請求項１６〜２０のいずれかに記載の外科用ステープル留めデバイス。
【請求項２２】
前記発射トリガーが離脱部材を含み、そして前記ロックアウトプレートが離脱タブを含み、該離脱部材が、前記発射トリガーの作動に際し、該放出タブを係合するよう位置決めされ、該ロックプレートを、前記外科用ステープル留めデバイスが発射されるとき、その第２の位置からその第１の位置に自動的に移動する、請求項１６〜２１のいずれかに記載の外科用ステープル留めデバイス。
【請求項２３】
外科用ステープル留めデバイスであって：
静止ハンドル部分、該静止ハンドル部分に回動可能に固定された発射トリガーおよび該静止ハンドル部分の近位端に回転可能に固定された接近ノブを含むハンドルアセンブリ；
該ハンドルアセンブリから遠位方向に延びる細長い本体部分；および
アンビルアセンブリおよびシェルアセンブリを含むヘッド部分であって、該シェルアセンブリが複数のステープルを収容し、該アンビルアセンブリが、該接近ノブの間隔を置いた位置と接近した位置との間の作動に応答して、該シェルアセンブリに対して移動可能であるヘッド部分；を備え、
ここで、該発射トリガーが、該静止ハンドルに向かって回動し、該複数のステープルを該シェルアセンブリから発射し、該発射トリガーが、該接近ノブの遠位端の近位方向に位置決めされる近位端を有する、外科用ステープル留めデバイス。
【請求項２４】
図１に示される外科用ステープル留めデバイス。